(57)【特許請求の範囲】
【請求項１】
壁掛型空気調和機を壁に据え付けるために予め壁面に取り付けられる壁掛型空気調和機の据付板であって、
平板状の主部(１a)と、
上記平板状の主部(１a)に水平方向に所定の間隔をあけて設けられ、先端部を上記主部(１a)側に向かって湾曲させた切り起こし片(２,３)とを備え、
上記切り起こし片(２,３)の上側の端面に水準器の基準面を載せて水平を確認するための水準器用フックとして上記切り起こし片(２,３)が用いられることを特徴とする壁掛型空気調和機の据付板。
【発明の詳細な説明】
【０００１】
【発明の属する技術分野】
この発明は、壁掛型空気調和機を室内の壁面に据え付けるときに使用される壁掛型空気調和機の据付板に関する。
【０００２】
【従来の技術】
従来より、壁掛型空気調和機を据え付ける場合、図3に示すように、室内の壁２０の壁面に沿って据付板１０を取り付けた後、その据付板１０に壁掛型空気調和機(図示せず)を係止する。この据付板１０は、複数のねじ穴１７が形成された平板状の主部１０aと、その主部１０aの上縁の左右２ヶ所に形成された支持部１０bとを有している。上記据付板１０の略中央に主部１０aに対して略直角に切り起こした板状の水準器用フック１２,１３を水平方向に所定の間隔をあけて設けている。なお、図3において、１４,１５は切り起こしにより形成された穴である。
【０００３】
上記据付板１０を壁２０に取り付ける場合、据付板１０を壁２０に押しつけながら、ドライバ(ねじ回し)３０を回して、ねじ１８により据付板１０の主部１０aを壁２０に固定する。このとき、据付板１０の水準器用フック１２,１３の上側の端面１２a,１３a(図４に示す)に図示しない水準器の基準面側を載せて、その水準器により据付板１０の水平か否かを確認しながら、据付板１０を水平に据え付ける。そして、図示しない壁掛型空気調和機の背面上部に形成された突起部を据付板１０の支持部１０bに上方から挿入させて、壁掛型空気調和機を据付板１０に係止された状態で壁面に据え付ける。
【０００４】
【発明が解決しようとする課題】
ところで、上記壁掛型空気調和機の据付板１０は、壁掛型空気調和機本体と同じ箱に梱包される場合、開梱時などに図４に示す水準器用フック１２,１３のエッジ部が当たって、壁掛型空気調和機本体を傷つけたり人を傷つけたりするという問題がある。また、上記板状の水準器用フック１２,１３では曲がりやすいため、水準器用フック１２,１３が変形して、水準器用フック１２,１３の上側の端面１２a,１３aに載せる水準器が据付板１０の水平を正しく示さなくなるという問題がある。
【０００５】
そこで、この発明の目的は、切り起こし片によって本体に傷をつけたり作業者がけがをしたりしないようにできると共に、切り起こし片の変形を防ぐことができる壁掛型空気調和機の据付板を提供することにある。
【０００６】
【課題を解決するための手段】
上記目的を達成するため、請求項１の壁掛型空気調和機の据付板は、壁掛型空気調和機を壁に据え付けるために予め壁面に取り付けられる壁掛型空気調和機の据付板であって、平板状の主部と、上記平板状の主部に水平方向に所定の間隔をあけて設けられ、先端部を上記主部側に向かって湾曲させた切り起こし片とを備え、上記切り起こし片の上側の端面に水準器の基準面を載せて水平を確認するための水準器用フックとして上記切り起こし片が用いられることを特徴としている。
【０００７】
上記請求項１の壁掛型空気調和機の据付板によれば、上記切り起こし片の先端部を主部側に向かって湾曲させて、切り起こし片のエッジ部を外向にしないことによって、壁掛型空気調和機本体と据付板とが一緒に梱包された場合の開梱時などに本体に傷をつけないと共に、作業者のけがを防止できる。また、上記切り欠き片の先端部を湾曲させて例えば円弧状にすることによって、切り起こし片の強度が強くなって切り起こし片の変形を防止できる。特に、この据付板の取付状態が水平であるか否かを確認する水準器を載せるための水準器用フックを上記切り欠き片で形成して、その水準器用フックの先端部を湾曲させることによって板状のものに比べて曲げに対する強度が強くなり、水準器用フックの変形による精度の低下を防止できる。
【０００８】
【発明の実施の形態】
以下、この発明の壁掛型空気調和機の据付板を図示の実施の形態により詳細に説明する。
【０００９】
図１はこの発明の実施の一形態の壁掛型空気調和機の据付板の平面図であり、１は平板状の主部１aとその主部１aの上縁の左右２ヶ所に所定の間隔をあけて形成された支持部１b,１cとを有する据付板、２,３は上記主部１aの略中央に水平方向に所定の間隔をあけて切り起こしによって設けられた切り起こし片としての水準器用フック、４,５は上記水準器用フック２,３の切り起こしにより形成された穴、６は上記主部１aに設けられた複数のねじ穴である。また、図示しない壁掛型空気調和機側から壁に設けられた貫通穴を通って室外側の機器に接続する配管,信号線等を通すため、据付板１の下側コーナー部に切り欠き７,８を設けると共に、据付板１の下側中央部に切り欠き９を設けている。
【００１０】
また、図２は上記水準器用フック２,３の拡大斜視図を示しており、板状の切り起こし片の先端部を穴４,５側に向かって円弧状に湾曲させている。なお、図２では、同じ向きに湾曲する水準器用フック２,３を示しているが、水準器用フック３は、水準器用フック２に対して左右対称になるように据付板１に配置されている。
【００１１】
上記構成の壁掛型空気調和機の据付板１を壁に取り付ける場合、水準器用フック２,３の上側の端面２a,３aに水準器(図示せず)の基準面側を載せて、据付板１が水平か否かを確認する。そうして、作業者は、水平にした据付板１を壁(図示せず)の取付位置に押しつけて、ドライバ(ねじ回し)によって、据付板１のねじ穴６に挿入されたねじ(図示せず)を壁面にねじ込んで据付板１を壁に固定する。そして、図示しない壁掛型空気調和機の背面上部に下方に向かって形成された突起部(図示せず)を据付板１の支持部１b,１cに上方から挿入させて、壁掛型空気調和機を据付板１に係止された状態で壁面に据え付ける。
【００１２】
このように、上記水準器用フック２,３の先端部を主部１a側に向かって湾曲させて円弧状にしているので、例えば同じ箱に梱包された本体と据付板１とを取り出すときに水準器用フック２,３のエッジ部(図２中のＡ)が当たらず、壁掛型空気調和機(図示せず)本体を傷つけたり、作業者がけがしたりするのを防止することができる。また、上記水準器用フック２,３の先端部を湾曲させることによって、従来の板状の水準器用フックに比べて曲げに対する強度が強くなり、水準器用フック２,３の変形による精度の低下を防止することができる。また、仮に水準器用フック２,３が外部から大きな力がかかっても、水準器用フック２,３の根元の折れ曲げ部分を軸に水準器用フック２,３が回動し、水準器用フック２,３の端面２a,３aの水平が保たれる。
【００１３】
上記実施の形態では、切り起こし片として水準器用フック２,３を有する据付板１について説明したが、切り起こし片はこれに限らず、板状の主部に設けられた様々な切り起こし片の先端部を主部側に向けて湾曲させてもよい。
【００１４】
【発明の効果】
以上より明らかなように、請求項１の発明の壁掛型空気調和機の据付板は、壁掛型空気調和機を壁に据え付けるために予め壁面に取り付けられる壁掛型空気調和機の据付板であって、平板状の主部に水平方向に所定の間隔をあけて、先端部を主部側に向かって湾曲させた切り起こし片を設けて、その切り起こし片の上側の端面に水準器の基準面を載せて水平を確認するための水準器用フックとして上記切り起こし片が用いられたものである。
【００１５】
したがって、請求項１の発明の壁掛型空気調和機の据付板によれば、同じ箱に壁掛型空気調和機本体と据付板とを箱から取り出す場合などに本体に傷をつけないと共に、切り起こし片のエッジ部による作業者のけがを防止することができる。また、上記切り欠き片の先端部が湾曲しているので、切り起こし片が曲がりにくく強度が強くなって、切り起こし片の変形を防止することができる。特に、上記切り欠き片で水準器用フックを形成することにより、切り起こし片の曲げに対する強度が強くなるので、水準器用フックの変形による水準器の検出精度の低下を防止することができる。
【図面の簡単な説明】
【図１】図１はこの発明の実施の一形態の壁掛型空気調和機の据付板の平面図である。
【図２】図２は上記据付板の要部の拡大斜視図である。
【図３】図３は従来の壁掛型空気調和機の据付板の斜視図である。
【図４】図４は上記据付板の要部の拡大斜視図である。
【符号の説明】
１…据付板、
１a…主部、
１b,１c…支持部、
２,３…水準器用フック、
４,５…穴、
６…ねじ穴。
【図１】
0003606060.tif 000002
【図２】
0003606060.tif 000003
【図３】
0003606060.tif 000004
【図４】
0003606060.tif 000005